(57)【要約】【課題】本発明は、スイッチドリラクタンスモーターを提供する。【解決手段】スイッチドリラクタンスモーターは、ステーターと、前記ステーターに対してモーター軸を中心に回転されるローターと、前記ステーターとローターを内部に収容するカップ形状に形成され、その下部面の中央に収容溝を備えたハウジング６０と、ハウジング６０の収容溝まで長さが延長されたモーター軸の下側の設定位置に結合されるディスクとディスクの回転状態を検出するセンサーとを備え、ハウジング６０の収容溝の内部に装着されたセンサー部と、センサー部を遮蔽するフィルター部材８０と、で構成されることを特徴とする。【選択図】図２
2013143912.tif 000002
【特許請求の範囲】
【請求項１】
ステーターと、
前記ステーターに対してモーター軸を中心に回転されるローターと、
前記ステーターと前記ローターを内部に収容するカップ形状のハウジングと、
前記モーター軸の下側の設定位置に結合されるディスクと前記ディスクの回転状態を検出するセンサーとを備え、前記ハウジングの外部に装着されたセンサー部と、
前記センサー部を遮蔽するフィルター部材と、で構成される、スイッチドリラクタンスモーター。
【請求項２】
前記センサー部は、前記ハウジングの下部面の下方に配置される、請求項１に記載のスイッチドリラクタンスモーター。
【請求項３】
前記フィルター部材は、メッシュ構造で形成されている、請求項１に記載のスイッチドリラクタンスモーター。
【請求項４】
前記フィルター部材は、微細な孔のメッシュ構造を有するスクリーン部と前記スクリーン部の周縁にフランジ部とを備えた、請求項１に記載のスイッチドリラクタンスモーター。
【請求項５】
前記フィルター部材は、絶縁材質でできている、請求項１に記載のスイッチドリラクタンスモーター。
【請求項６】
前記フィルター部材は、濾過紙を追加に備える、請求項１に記載のスイッチドリラクタンスモーター。
【請求項７】
ステーターと、
前記ステーターに対してモーター軸を中心に回転されるローターと、
前記ステーターと前記ローターを内部に収容するカップ形状に形成され、その下部面の中央に収容溝を備えたハウジングと、
前記ハウジングの収容溝まで長さが延長されたモーター軸の下側の設定位置に結合されるディスクと前記ディスクの回転状態を検出するセンサーとを備え、前記ハウジングの収容溝の内部に装着されたセンサー部と、
前記センサー部を遮蔽するフィルター部材と、で構成される、スイッチドリラクタンスモーター。
【請求項８】
前記フィルター部材は、前記収容溝の下部開放部を閉鎖する、請求項７に記載のスイッチドリラクタンスモーター。
【請求項９】
前記フィルター部材は、扁平な円板形状に形成される、請求項７に記載のスイッチドリラクタンスモーター。
【請求項１０】
前記フィルター部材は、メッシュ構造で形成されている、請求項７に記載のスイッチドリラクタンスモーター。
【請求項１１】
前記フィルター部材は、微細な孔のメッシュ構造を有するスクリーン部と前記スクリーン部の周縁にフランジ部とを備えた、請求項７に記載のスイッチドリラクタンスモーター。
【請求項１２】
前記フィルター部材は、絶縁材質でできている、請求項７に記載のスイッチドリラクタンスモーター。
【請求項１３】
前記フィルター部材は、濾過紙を追加に備える、請求項７に記載のスイッチドリラクタンスモーター。
【発明の詳細な説明】
【技術分野】
【０００１】
本発明は、スイッチドリラクタンスモーターに関する。
【背景技術】
【０００２】
真空掃除機は、電気エネルギーを機械的な回転運動に転換する中、真空を部分的に発生させ、これを利用してホコリのような外部汚物などを集塵する装置であり、真空を発生させることができるようにモーター、例えば、スイッチドリラクタンスモーター（ｓｗｉｔｃｈｅｄ  ｒｅｌｕｃｔａｎｃｅ  ｍｏｔｏｒ；ＳＲＭ）を備えている。
【０００３】
このような真空掃除機に採用されるスイッチドリラクタンスモーターが特許文献１に掲載されている。
【０００４】
特許文献１に掲載されたスイッチドリラクタンスモーターは、既に広く知られているように、ステーター、ローター、このローターの上側に一体に回転可能に結合されて吸入力を発生させるインペラ、及びモーターのハウジングの下部に装着されたセンサー支持部材を備えている。
【０００５】
さらに、特許文献１に記載されたスイッチドリラクタンスモーターは、モーター軸の軸方向に、上端にはインペラを備える一方、下端にはセンサー支持部材を備える。
【０００６】
センサー支持部材は、ディスクとセンサーで構成されており、ディスクは、モーター軸の下端にモーターのハウジング外部に形成され、ステーターの内部で回転可能にモーター軸に固定され、半径方向に沿って突出された複数の突極を備えたローターの位置を検出することができるように、ローターの軸方向で直交する横断面形状と同様に形成されている。また、このディスクの回転を感知するセンサーを備えている。
【０００７】
しかし、従来のスイッチドリラクタンスモーターは、センサー支持部材をモーターのハウジングの下部に結合しており、このようなセンサー支持部材は、一側が開放された筒形状に形成されており、モーターハウジングの下部面とセンサー支持部材を面接触可能にセンサー支持部材の周縁にフランジを形成する。
【０００８】
このセンサー支持部材は、例えば、ねじ締結方式などの多様な方式を適用してモーターハウジングの下部面に装着される。
【０００９】
前述されたように、センサー支持部材は、一側が開放された筒形状、特許文献１の図３に示すようにカップ形状であり、モーターから突出されている。センサー支持部材は、モーターの全般的な大きさを増加させるだけでなく、敏感なセンサーのエラー発生時、ねじを緩めてセンサー支持部材をモーターハウジングから脱去した後、センサーを取り替えることができる。
【００１０】
また、センサー支持部材は、筒形状に形成されており、モーターの下部面に固定される時、シーリング（ｓｅａｌｉｎｇ）処理される場合にはモーター軸の回転を介してセンサー支持部材の内部に真空度が益々高くなって外部との熱交換が行われないため、センサー支持部材の高温の内部温度により悪影響を受けることになる。
【００１１】
また、センサー支持部材がねじ締結方式などにより固定されているため、センサー支持部材を分離するたびに、ねじを緩め、再結合する面倒な過程を経なければならない。
【００１２】
このように、前述された問題点を解決することができる他の方案が考慮されなければならない。
【先行技術文献】
【特許文献】
【００１３】
【特許文献１】韓国公開特許第１０-２００８-００２６８７２号公報
【発明の概要】
【発明が解決しようとする課題】
【００１４】
本発明は、前述された短所を解決するためのものであり、モーターのセンサー部を保護すると共に、空気の流動を容易にすることができるスイッチドリラクタンスモーターを提供することを目的とする。
【課題を解決するための手段】
【００１５】
前記のような目的を達成するために、本発明の第１実施例によるスイッチドリラクタンスモーターは、ステーターと、前記ステーターに対してモーター軸を中心に回転されるローターと、前記ステーターとローターを内部に収容するカップ形状のハウジングと、モーター軸の下側の設定位置に結合されるディスクと前記ディスクの回転状態を検出するセンサーとを備え、ハウジングの外部に装着されたセンサー部と、センサー部を遮蔽するフィルター部材と、で構成されることを特徴とする。
【００１６】
本実施例において、本発明のセンサー部は、ハウジングの下部面に装着されてローターの回転、即ち、位置を検出する。
【００１７】
本実施例において、本発明のフィルター部材は、微細な孔を有するメッシュ構造で形成される。これはセンサー部であり、ホコリのような異質物の流入を遮断する一方、空気の流出入を保障することができる。
【００１８】
本発明のフィルター部材は、微細な孔を有するスクリーン部とスクリーン部の周縁にフランジ部とを備え、フランジ部は、モーターハウジングの下部面と面接触し、フィルター部材を容易に締結させることができるようにする。
【００１９】
好ましくは、本発明のフィルター部材は、絶縁材質でできている。
【００２０】
また、選択可能に、本発明のフィルター部材は、メッシュ構造のスクリーン部と共にそのスクリーン部上に不織布のような濾過紙を追加に備え、二重に防塵作用を実行することができる。
【００２１】
本発明の第２実施例によるスイッチドリラクタンスモーターは、ステーターと、前記ステーターに対してモーター軸を中心に回転されるローターと、前記ステーターとローターを内部に収容するカップ形状に形成され、その下部面の中央に収容溝を備えたハウジングと、ハウジングの収容溝まで長さが延長されたモーター軸の下側の設定位置に結合されるディスクとディスクの回転状態を検出するセンサーとを備え、ハウジングの収容溝の内部に装着されたセンサー部と、センサー部を遮蔽するフィルター部材と、で構成されることを特徴とする。
【００２２】
第２実施例による、本発明のフィルター部材は、扁平な円板形状に形成され、収容溝の下部開放部を閉鎖することができる。
【００２３】
第２実施例において、本発明のフィルター部材は、微細な孔を有するメッシュ構造で形成される。これはセンサー部であり、ホコリのような異質物の流入を遮断する一方、空気の流出入を保障することができる。
【００２４】
また、選択可能に、本発明のスクリーン部は、不織布で形成されることもできる。
【００２５】
第２実施例において、本発明のフィルター部材は、微細な孔を有するスクリーン部とスクリーン部の周縁にフランジ部とを備え、フランジ部は、モーターハウジングの下部面と面接触し、フィルター部材を容易に締結させることができるようにする。
【００２６】
第２実施例において、本発明のフィルター部材は、絶縁材質でできている。
【００２７】
さらに、本発明のフィルター部材は、前述されたように、微細な孔を有するメッシュ構造のスクリーン部で形成され、超微粒子形態のホコリを集塵することができるようにスクリーン部上に不織布のような濾過紙を追加に備え、二重に防塵作用を実行することができる。
【発明の効果】
【００２８】
以上、本発明の説明によると、本発明は、フィルター部材を手段とし、モーターハウジングに装着されたセンサー部にホコリの接触機会を最小化することができるように提供される。
【００２９】
また、本発明は、収容溝に装着されたセンサー部に空気の流出入を許容することで、真空度と共に温度を低くしてモーターの耐久性を向上させることができる長所を有する。
【００３０】
また、本発明は、絶縁材質でできているため、モーターの電磁気力がホコリに影響を及ぼさないようにすることができる。
【００３１】
また、本発明の扁平なフィルター部材は、小型化且つ軽量化を追求する真空掃除機に適するように採用されることができる。
【図面の簡単な説明】
【００３２】
【図１】本発明の好ましい実施例によるスイッチドリラクタンスモーターを概略的に示す断面図である。
【図２】図１に示すスイッチドリラクタンスモーターを下方向から見た斜視図である。
【図３】図１に示すスイッチドリラクタンスモーターの一部構成部材のみを示す断面図である。
【発明を実施するための形態】
【００３３】
本発明の目的、特定の長所及び新規の特徴は添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３４】
以下、添付図面を参照して本発明の好ましい実施例を詳細に説明する。
【００３５】
図１は、本発明の好ましい実施例によるスイッチドリラクタンスモーターを概略的に示す断面図である。
【００３６】
図示されたように、本発明のスイッチドリラクタンスモーター１は、ステーター１１、ローター１２、モーター軸１３、ハウジング６０、及びセンサー部７０で構成される。
【００３７】
さらに、モーター軸１３は、ローター１２の上側にモーター軸１３と一体に回転可能に結合されたインペラ（ｉｍｐｅｌｌｅｒ）を手段とし、吸入力を発生させる。ディフューザー（ｄｉｆｆｕｓｅｒ）は、インペラを回転可能にインペラの外側で所定の間隔に配列され、インペラの回転により吸入された空気をモーター１の内部に案内する。当該分野の技術者に既に広く知られているように、インペラとディフューザーは、中央に吸入孔を形成したケーシング（ｃａｓｉｎｇ）４０で覆われており、このケーシングは、ハウジング６０上に結合されてモーター１の内部を保護する。
【００３８】
ローター１２は、金属材質でできているコアと複数個のローター突極とを備える。また、コアの中心部には中空ホールが形成され、中空ホールにモーター軸１３を固定されるように結合する。
【００３９】
複数個のローター突極は、ローターコアの外周面に沿って突出されるように形成される。
【００４０】
ステーター１１は、金属材質のステーターヨークと複数個のステーター突極で構成される。ステーターヨークは、ローター１２が内部で回転可能に収容されるように、ローター１２の外径より大きい内径を有する中空ホールを形成するように全般的に円筒形状を有する。
【００４１】
また、複数個のステーター突極は、ローター突極と対向するようにステーターヨークの内周面から突出されるように形成される一方、外部から電源の印加を受けるコイルが複数回巻線されている。
【００４２】
図１に示すように、ハウジング６０は、上側を開放したカップ形状に形成され、下部面にはモーター軸１３が貫通する開口部が形成され、その側壁には、一つ以上の流出口を備える。流出口は、インペラを手段とし、モーターの内部に流入された吸入空気をモーターの外部に排出することができ、吸入空気を外部に放出することによってモーターの内部の高温を外部に排出させることができる。
【００４３】
図示されたように、ハウジング６０は、上側を開放したカップ形状に形成されている一方、ケーシング４０は、下側が開放された逆カップ形状に形成される。ハウジング６０とケーシング４０は、モーターの内部を保護することができる。
【００４４】
前述されたように、ハウジング６０の開口部６２（図３参照）は、モーター軸１３の下側を貫通させる。モーターハウジング６０の外部、より具体的に、モーターハウジング６０の下部面から伸びているモーター軸１３は、ディスク７１を結合する。
【００４５】
広く知られているように、ディスク７１は、モーター軸１３の軸方向と直交するするローター１２の横断面と同じ形状に形成されている。ローター１２は、ローター突極を媒介とし、その周縁面を凹凸に形成し、同様に、ディスク７１も突極形状に形成される。ディスク７１は、モーター軸１３に結合され、モーター軸１３の回転力の伝達を受けて近接しているセンサー７２上で回転することができる。
【００４６】
本発明によるスイッチドリラクタンスモーター１に備えられるセンサー部７０は、ディスク７１とセンサー７２で構成され、センサー部の露出部位は、図示されたように、フィルター部材（ｆｉｌｔｅｒ）８０で遮蔽されることを特徴とする。
【００４７】
センサー部７０、特に、フィルター部材８０は、図２でより具体的に説明する。
【００４８】
このようなセンサー部７０は、外部に露出され、外部からの衝撃にそのまま露出されてローターの回転を検出することができないだけでなく、センサー部のディスク回転をサポートするモーター軸１３の貫通路である開口部を介してホコリのような異質物などがモーターの内部に流入される問題点を有する。
【００４９】
他の一例として、本発明のスイッチドリラクタンスモーター１は、相対的に温度が高く、ホコリが多いモーター１の内部、例えば、ハウジング６０の内部からセンサー部７０を隔離して設置可能に、そして、センサー部７０を外部の衝撃から保護を受けることができるように、モーター１のハウジング６０は、収容溝６１を備える。
【００５０】
好ましくは、収容溝６１は、ハウジング６０の下部面で凹に形成され、モーターの内部に突出される形状に形成される。より好ましく、収容溝６１は、その中心をモーター軸と同心軸とし、モーターの回転駆動に影響を及ぼさないようにする。
【００５１】
また、収容溝６１の中央にはモーター軸の進入を許容する開口部を穿孔する。
【００５２】
図示されたように、モーター軸１３は、ハウジング６０の下部面、即ち、収容溝６１に穿孔された開口部６２（図３参照）を通過して収容溝６１の内部空間まで延長される。
【００５３】
収容溝６１は、センサー部７０を構成するディスク７１とセンサー７２を据え置き、ハウジング６０の下部面より下部にディスク７１或いはセンサー７２が突出されないようにし、センサー部７０を外部の衝撃から最大限保護することができる。
【００５４】
図２は、本発明によるスイッチドリラクタンスモーターを下方向から見た斜視図であり、図３は、本発明によるスイッチドリラクタンスモーターの概略的な断面図である。また、図３は、フィルター部材の明確な位置を示すために、モーターハウジングとフィルター部材を除いた他の部材は示していない。
【００５５】
図１に示すように、センサー部７０は、上部或いは側面上に加えられる衝撃に対しては保護を受けることができるようにハウジング６０の収容溝６１内に装着される。しかし、センサー部７０の下部は、そのまま露出されるようになる。
【００５６】
そのために、本発明によるスイッチドリラクタンスモーターは、ハウジング６０の下部面にセンサー部７０のホコリ接触を防止することができるようにフィルター部材８０を追加に備える。
【００５７】
このフィルター部材８０は、収容溝６１の開放された下端を閉鎖し、センサー部７０の下部が直接露出されないようにする。ここで、フィルター部材は、収容溝の下部開放部を閉鎖することができる扁平且つ円筒形状の収容溝と対応する円板形状に形成されることもでき、必要によって、収容溝を備えないモーターの下部からそのまま露出されているセンサー部を包むようにカップ形状（図示せず）に形成されることもできる。
【００５８】
好ましくは、フィルター部材８０は、メッシュ（ｍｅｓｈ）構造で形成されている。もし、センサー部７０が完全にシーリング処理されると、モーターの回転駆動を介してセンサー部７０を収容した収容溝６１の内部に真空度が高くなる。同時に、収容溝６１の内部温度が高くなる。
【００５９】
そのため、収容溝６１の内部に空気供給を円滑に実行することができるようにフィルター部材８０は、メッシュ構造で形成されることが好ましい。
【００６０】
フィルター部材８０は、収容溝６１の下部開放部と同じ形状、そして、同じ大きさを有し、収容溝６１の下部開放部に容易に装着及び／または脱去されることができるようにする。
【００６１】
そのために、フィルター部材は、スクリーン部（ｓｃｒｅｅｎ）８１とそのスクリーン部の周縁にフランジ部（ｆｌａｎｇｅ）８２を備えることができる。
【００６２】
スクリーン部８１は、メッシュ構造で形成され、防塵或いは集塵効果を達成し、空気の流出入を可能にする。即ち、スクリーン部８１の微細な孔は、収容溝６１の内部に空気の進入を容易にし、スイッチドリラクタンスモーターの収容溝内の真空度を低くし、温度上昇を抑制させることができる。
【００６３】
スクリーン部８１は、前述されたように、微細な孔を形成して防塵効果を達成し、フランジ部８２は、収容溝６１の内周面と容易に締結されることができるように助ける。
【００６４】
例えば、フランジ部８２は、スクリーン部８１の周縁に形成されたり、必要によっては、スクリーン部８１の外周面にリング形状に形成されることができる。
【００６５】
このようなフランジ部８２は、収容溝６１の内周面に安着されることができるように嵌合、スナップ（ｓｎａｐ）締結方式或いはねじ締結方式に締結されることができ、これに限定されるものではなく、多様な方式によっても締結固定されることができる。
【００６６】
より好ましくは、本発明のフィルター部材８０は、絶縁材質でできており、軽量化を追求することができる合成樹脂材であってもよい。モーターの特性上、電気力と磁気力が残存するようになり、このような電気力と磁気力から解放されることができるように、フィルター部材８０は、絶縁材質で作らなければならない。
【００６７】
本発明のフィルター部材８０は、選択可能に、合成樹脂材であり、スクリーン部８１とフランジ部８２を形成し、メッシュ構造で形成されているスクリーン部８１に、例えば、不織布のような濾過紙を追加に備えることができる。微細な孔を有するスクリーン部８１と濾過紙（図示せず）を介して二重に防塵作用をし、ホコリがセンサー部と接触される機会を顕著に減らすことができる。
【００６８】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６９】
本発明の単純な変形乃至変更はいずれも本発明の領域に属するものであり、本発明の具体的な保護範囲は添付の特許請求の範囲により明確になるであろう。
【符号の説明】
【００７０】
１  スイッチドリラクタンスモーター
１１  ステーター
１２  ローター
１３  モーター軸
６０  ハウジング
６１  収容溝
７０  センサー部
８０  フィルター部材
【図１】
2013143912.tif 000003
【図２】
2013143912.tif 000004
【図３】
2013143912.tif 000005